【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
可視光通信（ＶＬＣ）信号を処理するための画像センサーを構成する方法であって、
第１の露出設定において動作するように前記画像センサーに命令することと、前記第１の露出設定が、写真画像をキャプチャするための第２の露出設定において露出される前記画像センサーのラインの数未満である数の前記画像センサーのラインを露出し、前記第１の露出設定に関連付けられた前記画像センサーの前記ラインは、読取り動作が行われるラインとリセット動作が行われるラインとの間に配置される、
前記画像センサーを介して、前記第１の露出設定において少なくとも１つのＶＬＣ信号フレームを受信することと、
前記少なくとも１つのキャプチャされたＶＬＣ信号フレーム中に含まれる少なくとも１つの通信シンボルを検出することとを備える、方法。
【請求項２】
いくつかの検出された通信シンボルを復号することによって、前記画像センサーによってキャプチャされた前記少なくとも１つのＶＬＣ信号フレームに関連付けられたメッセージを復号することをさらに備える、請求項１に記載の方法。
【請求項３】
前記画像センサーが、最初に前記第２の露出設定において設定され、前記方法は、
ＶＬＣ信号フレームをキャプチャするためのＶＬＣ受信モードがトリガされると決定することをさらに備え、
ここにおいて、前記画像センサーは、前記ＶＬＣ受信モードがトリガされたとき、前記第１の露出設定において動作するように命令される、請求項２に記載の方法。
【請求項４】
前記第２の露出設定が、最初に、自動露出制御（ＡＥＣ）アルゴリズムに従って設定され、
前記ＡＥＣアルゴリズムは、前記画像センサーが前記第１の露出設定において動作するように命令されるより前に無効にされる、請求項３に記載の方法。
【請求項５】
前記メッセージを復号するために必要とされるすべての通信シンボルが検出され、復号されたとき、メッセージ復号の完了を前記画像センサーに指示することをさらに備え、
ここにおいて、前記画像センサーが、前記指示を受信すると、前記第２の露出設定に戻る、請求項３に記載の方法。
【請求項６】
前記ＶＬＣ受信モードが、
前記画像センサーを格納するデバイスへのユーザ入力、
前記画像センサーを格納する前記デバイスの物理的配向、または
少なくとも１つのＶＬＣ信号の存在を指示する、ワイヤレス無線機を介して受信された信号のうちの少なくとも１つに基づいてトリガされる、請求項３に記載の方法。
【請求項７】
前記復号されたメッセージに関係する情報を表示するためにディスプレイユニットをアクティブにすることをさらに備える、請求項２に記載の方法。
【請求項８】
前記復号されたメッセージに関係する第１の情報をリモートサーバに送信するためにワイヤレス無線機をアクティブにすることと、
前記送信された第１の情報に応答して、前記復号されたメッセージに関係する第２の情報を前記リモートサーバから受信することとをさらに備える、請求項２に記載の方法。
【請求項９】
前記画像センサーは、最大フレームカウントに達するまで、または、前記画像センサーが、フレームキャプチャを終了するようにとの命令を受信するまで、前記少なくとも１つのＶＬＣ信号フレームをキャプチャする、請求項１に記載の方法。
【請求項１０】
前記画像センサーが前記少なくとも１つのＶＬＣ信号フレームをキャプチャするために前記第１の露出設定において動作するとき、前記画像センサーは、前記第２の露出設定において前記写真画像をキャプチャすることができない、請求項１に記載の方法。
【請求項１１】
前記画像センサーがしきい値を下回る露出設定において動作するとき、前記画像センサーは、前記写真画像をキャプチャすることができない、請求項１に記載の方法。
【請求項１２】
可視光通信（ＶＬＣ）信号を処理するための画像センサーを構成するための装置であって、
第１の露出設定において動作するように前記画像センサーに命令するための手段と、前記第１の露出設定が、写真画像をキャプチャするための第２の露出設定において露出される前記画像センサーのラインの数未満である数の前記画像センサーのラインを露出し、前記第１の露出設定に関連付けられた前記画像センサーの前記ラインは、読取り動作が行われるラインとリセット動作が行われるラインとの間に配置される、
前記画像センサーを介して、前記第１の露出設定において少なくとも１つのＶＬＣ信号フレームを受信するための手段と、
前記少なくとも１つのキャプチャされたＶＬＣ信号フレーム中に含まれる少なくとも１つの通信シンボルを検出するための手段とを備える、装置。
【請求項１３】
いくつかの検出された通信シンボルを復号することによって、前記画像センサーによってキャプチャされた前記少なくとも１つのＶＬＣ信号フレームに関連付けられたメッセージを復号するための手段をさらに備える、請求項１２に記載の装置。
【請求項１４】
前記画像センサーが、最初に前記第２の露出設定において設定され、前記装置は、
ＶＬＣ信号フレームをキャプチャするためのＶＬＣ受信モードがトリガされると決定するための手段をさらに備え、
ここにおいて、命令するための前記手段は、前記ＶＬＣ受信モードがトリガされたとき、前記第１の露出設定において動作するように前記画像センサーに命令する、請求項１３に記載の装置。
【請求項１５】
可視光通信（ＶＬＣ）信号を処理するための画像センサーを構成するための非一時的なコンピュータ可読媒体であって、
第１の露出設定において動作するように前記画像センサーに命令することと、前記第１の露出設定が、写真画像をキャプチャするための第２の露出設定において露出される前記画像センサーのラインの数未満である数の前記画像センサーのラインを露出し、前記第１の露出設定に関連付けられた前記画像センサーの前記ラインは、読取り動作が行われるラインとリセット動作が行われるラインとの間に配置される、
前記画像センサーを介して、前記第１の露出設定において少なくとも１つのＶＬＣ信号フレームを受信することと、
前記少なくとも１つのキャプチャされたＶＬＣ信号フレーム中に含まれる少なくとも１つの通信シンボルを検出することとを行うためのコードを備える、非一時的なコンピュータ可読媒体。
【手続補正２】
【補正対象書類名】明細書
【補正対象項目名】００３８
【補正方法】変更
【補正の内容】
【００３８】
[0042]以上の説明は、当業者が本明細書で説明した様々な態様を実行することができるように与えられた。これらの態様に対する様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一の（one and only one）」を意味するものではなく、「１つまたは複数の」を意味するものである。「例示的」という単語は、本明細書では、「例、事例、または例示としての役割を果たす（serving as an example, instance, or illustration）」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願の出願当初の特許請求の範囲に記載された発明を付記する。
［Ｃ１］
可視光通信（ＶＬＣ）信号を処理するための画像センサーを構成する方法であって、
第１の露出設定において動作するように前記画像センサーに命令することと、前記第１の露出設定が、写真画像をキャプチャするための第２の露出設定よりも低い、
前記画像センサーを介して、前記第１の露出設定において少なくとも１つのＶＬＣ信号フレームをキャプチャすることと、
前記少なくとも１つのキャプチャされたＶＬＣ信号フレーム中に含まれる少なくとも１つの通信シンボルを検出することとを備える、方法。
［Ｃ２］
いくつかの検出された通信シンボルを復号することによって、前記画像センサーによってキャプチャされた前記少なくとも１つのＶＬＣ信号フレームに関連付けられたメッセージを復号することをさらに備える、Ｃ１に記載の方法。
［Ｃ３］
前記画像センサーが、最初に前記第２の露出設定において設定され、前記方法は、
ＶＬＣ信号フレームをキャプチャするためのＶＬＣ受信モードがトリガされると決定することをさらに備え、
ここにおいて、前記画像センサーは、前記ＶＬＣ受信モードがトリガされたとき、前記第１の露出設定において動作するように命令される、Ｃ２に記載の方法。
［Ｃ４］
前記第２の露出設定が、最初に、自動露出制御（ＡＥＣ）アルゴリズムに従って設定され、
前記ＡＥＣアルゴリズムは、前記画像センサーが前記第１の露出設定において動作するように命令されるより前に無効にされる、Ｃ３に記載の方法。
［Ｃ５］
前記メッセージを復号するために必要とされるすべての通信シンボルが検出され、復号されたとき、メッセージ復号の完了を前記画像センサーに指示することをさらに備え、
ここにおいて、前記画像センサーが、前記指示を受信すると、前記第２の露出設定に戻る、Ｃ３に記載の方法。
［Ｃ６］
前記ＶＬＣ受信モードが、
前記画像センサーを格納するデバイスへのユーザ入力、
前記画像センサーを格納する前記デバイスの物理的配向、または
少なくとも１つのＶＬＣ信号の存在を指示する、ワイヤレス無線機を介して受信された信号のうちの少なくとも１つに基づいてトリガされる、Ｃ３に記載の方法。
［Ｃ７］
前記復号されたメッセージに関係する情報を表示するためにディスプレイユニットをアクティブにすることをさらに備える、Ｃ２に記載の方法。
［Ｃ８］
前記復号されたメッセージに関係する第１の情報をリモートサーバに送信するためにワイヤレス無線機をアクティブにすることと、
前記送信された第１の情報に応答して、前記復号されたメッセージに関係する第２の情報を前記リモートサーバから受信することとをさらに備える、Ｃ２に記載の方法。
［Ｃ９］
前記画像センサーは、最大フレームカウントに達するまで、または、前記画像センサーが、フレームキャプチャを終了するようにとの命令を受信するまで、前記少なくとも１つのＶＬＣ信号フレームをキャプチャする、Ｃ１に記載の方法。
［Ｃ１０］
前記画像センサーが前記少なくとも１つのＶＬＣ信号フレームをキャプチャするために前記第１の露出設定において動作するとき、前記画像センサーは、前記第２の露出設定において前記写真画像をキャプチャすることができない、Ｃ１に記載の方法。
［Ｃ１１］
前記画像センサーがしきい値を下回る露出設定において動作するとき、前記画像センサーは、前記写真画像をキャプチャすることができない、Ｃ１に記載の方法。
［Ｃ１２］
可視光通信（ＶＬＣ）信号を処理するための画像センサーを構成するための装置であって、
第１の露出設定において動作するように前記画像センサーに命令するための手段と、前記第１の露出設定が、写真画像をキャプチャするための第２の露出設定よりも低い、
前記画像センサーを介して、前記第１の露出設定において少なくとも１つのＶＬＣ信号フレームをキャプチャするための手段と、
前記少なくとも１つのキャプチャされたＶＬＣ信号フレーム中に含まれる少なくとも１つの通信シンボルを検出するための手段とを備える、装置。
［Ｃ１３］
いくつかの検出された通信シンボルを復号することによって、前記画像センサーによってキャプチャされた前記少なくとも１つのＶＬＣ信号フレームに関連付けられたメッセージを復号するための手段をさらに備える、Ｃ１２に記載の装置。
［Ｃ１４］
前記画像センサーが、最初に前記第２の露出設定において設定され、前記装置は、
ＶＬＣ信号フレームをキャプチャするためのＶＬＣ受信モードがトリガされると決定するための手段をさらに備え、
ここにおいて、命令するための前記手段は、前記ＶＬＣ受信モードがトリガされたとき、前記第１の露出設定において動作するように前記画像センサーに命令する、Ｃ１３に記載の装置。
［Ｃ１５］
前記第２の露出設定が、最初に、自動露出制御（ＡＥＣ）アルゴリズムに従って設定され、
前記ＡＥＣアルゴリズムは、前記画像センサーが前記第１の露出設定において動作するように命令されるより前に無効にされる、Ｃ１４に記載の装置。
［Ｃ１６］
前記メッセージを復号するために必要とされるすべての通信シンボルが検出され、復号されたとき、メッセージ復号の完了を前記画像センサーに指示するための手段をさらに備え、
ここにおいて、前記画像センサーが、前記指示を受信すると、前記第２の露出設定に戻る、Ｃ１４に記載の装置。
［Ｃ１７］
前記ＶＬＣ受信モードが、
前記画像センサーを格納するデバイスへのユーザ入力、
前記画像センサーを格納する前記デバイスの物理的配向、または
少なくとも１つのＶＬＣ信号の存在を指示する、ワイヤレス無線機を介して受信された信号のうちの少なくとも１つに基づいてトリガされる、Ｃ１４に記載の装置。
［Ｃ１８］
前記復号されたメッセージに関係する情報を表示するためにディスプレイユニットをアクティブにするための手段をさらに備える、Ｃ１３に記載の装置。
［Ｃ１９］
前記復号されたメッセージに関係する第１の情報をリモートサーバに送信するためにワイヤレス無線機をアクティブにするための手段と、
前記送信された第１の情報に応答して、前記復号されたメッセージに関係する第２の情報を前記リモートサーバから受信するための手段とをさらに備える、Ｃ１３に記載の装置。
［Ｃ２０］
前記画像センサーは、最大フレームカウントに達するまで、または、前記画像センサーが、フレームキャプチャを終了するようにとの命令を受信するまで、前記少なくとも１つのＶＬＣ信号フレームをキャプチャする、Ｃ１２に記載の装置。
［Ｃ２１］
前記画像センサーが前記少なくとも１つのＶＬＣ信号フレームをキャプチャするために前記第１の露出設定において動作するとき、前記画像センサーは、前記第２の露出設定において前記写真画像をキャプチャすることができない、Ｃ１２に記載の装置。
［Ｃ２２］
前記画像センサーがしきい値を下回る露出設定において動作するとき、前記画像センサーは、前記写真画像をキャプチャすることができない、Ｃ１２に記載の装置。
［Ｃ２３］
可視光通信（ＶＬＣ）信号を処理するための画像センサーを構成するための装置であって、
メモリと、
前記メモリに結合された少なくとも１つのプロセッサとを備え、前記少なくとも１つのプロセッサは、
第１の露出設定において動作するように前記画像センサーに命令することと、前記第１の露出設定が、写真画像をキャプチャするための第２の露出設定よりも低い、
前記画像センサーを介して、前記第１の露出設定において少なくとも１つのＶＬＣ信号フレームをキャプチャすることと、
前記少なくとも１つのキャプチャされたＶＬＣ信号フレーム中に含まれる少なくとも１つの通信シンボルを検出することとを行うように構成された、装置。
［Ｃ２４］
前記少なくとも１つのプロセッサが、
いくつかの検出された通信シンボルを復号することによって、前記画像センサーによってキャプチャされた前記少なくとも１つのＶＬＣ信号フレームに関連付けられたメッセージを復号することを行うようにさらに構成された、Ｃ２３に記載の装置。
［Ｃ２５］
前記画像センサーが、最初に前記第２の露出設定において設定され、前記少なくとも１つのプロセッサは、
ＶＬＣ信号フレームをキャプチャするためのＶＬＣ受信モードがトリガされると決定することを行うようにさらに構成され、
ここにおいて、前記少なくとも１つのプロセッサは、前記ＶＬＣ受信モードがトリガされたとき、前記第１の露出設定において動作するように前記画像センサーに命令する、Ｃ２４に記載の装置。
［Ｃ２６］
前記少なくとも１つのプロセッサは、
前記メッセージを復号するために必要とされるすべての通信シンボルが検出され、復号されたとき、メッセージ復号の完了を前記画像センサーに指示することを行うようにさらに構成され、
ここにおいて、前記画像センサーが、前記指示を受信すると、前記第２の露出設定に戻る、Ｃ２５に記載の装置。
［Ｃ２７］
前記ＶＬＣ受信モードが、
前記画像センサーを格納するデバイスへのユーザ入力、
前記画像センサーを格納する前記デバイスの物理的配向、または
少なくとも１つのＶＬＣ信号の存在を指示する、ワイヤレス無線機を介して受信された信号のうちの少なくとも１つに基づいてトリガされる、Ｃ２５に記載の装置。
［Ｃ２８］
前記少なくとも１つのプロセッサが、
前記復号されたメッセージに関係する第１の情報をリモートサーバに送信するためにワイヤレス無線機をアクティブにすることと、
前記送信された第１の情報に応答して、前記復号されたメッセージに関係する第２の情報を前記リモートサーバから受信することとを行うようにさらに構成された、Ｃ２４に記載の装置。
［Ｃ２９］
前記画像センサーは、最大フレームカウントに達するまで、または、前記画像センサーが、フレームキャプチャを終了するようにとの命令を受信するまで、前記少なくとも１つのＶＬＣ信号フレームをキャプチャする、Ｃ２３に記載の装置。
［Ｃ３０］
可視光通信（ＶＬＣ）信号を処理するための画像センサーを構成するためのコンピュータ可読媒体であって、
第１の露出設定において動作するように前記画像センサーに命令することと、前記第１の露出設定が、写真画像をキャプチャするための第２の露出設定よりも低い、
前記画像センサーを介して、前記第１の露出設定において少なくとも１つのＶＬＣ信号フレームをキャプチャすることと、
前記少なくとも１つのキャプチャされたＶＬＣ信号フレーム中に含まれる少なくとも１つの通信シンボルを検出することとを行うためのコードを備える、コンピュータ可読媒体。